(57)【要約】【課題】吸収性物品における溢れ漏れを防止する。【解決手段】吸収性物品１において、吸収体６０は、装着時に腹側部１１から股間部１３に位置する部分の当該吸収体６０の幅方向中央部に長手方向に沿って延在するスリットＳ１と、スリットＳ１の両側にスリットＳ１と平行に対称的に延在しスリットＳ１よりも股間部１３側が長いスリットＳ２及びスリットＳ３と、装着時に股間部１３における排尿口位置１５の後方に位置する三角形状の刳り抜き部６２１と、を有する。この刳り抜き部６２１は、三角形状の腹側部１１の側の頂点がスリットＳ１の股間部１３側に連続し、背側部１２の側の頂点がスリットＳ２及びスリットＳ３の股間部１３側に連続するように形成されている。【選択図】図３
2014171581.tif 000002
【特許請求の範囲】
【請求項１】
透液性の表面シートと、裏面シートと、装着時に前記表面シートと前記裏面シートとの間に人体の腹側部から股間部を通って背側部にかけて介装される吸収体とを備える吸収性物品において、
前記吸収体は、装着時に前記腹側部から前記股間部に位置する部分の当該吸収体の幅方向中央部に長手方向に沿って延在する第１の溝部と、前記第１の溝部の両側に当該第１の溝部と平行に対称的に延在し前記第１の溝部よりも股間部側が長い第２の溝部及び第３の溝部と、装着時に前記股間部における排尿口の後方に位置する三角形状の刳り抜き部と、を有し、
前記刳り抜き部は、前記三角形状の前記腹側部の側の頂点が前記第１の溝部の股間部側端部に連続し、前記背側部の側の頂点が前記第２の溝部及び前記第３の溝部の股間部側端部に連続するように形成されている吸収性物品。
【請求項２】
前記刳り抜き部は、前記三角形状の前記背側部の側が更に所定の形状に刳り抜かれている請求項１に記載の吸収性物品。
【請求項３】
前記吸収体は、更に、前記刳り抜き部の前記背側部の側から延在する溝部を有する請求項１又は２に記載の吸収性物品。
【請求項４】
前記刳り抜き部の前記背側部の側から延在する溝部は複数設けられている請求項３に記載の吸収性物品。
【請求項５】
前記吸収体における前記刳り抜き部の周囲は、当該吸収体の他の領域よりも吸収体の厚さが厚い請求項１〜４の何れか一項に記載の吸収性物品。
【請求項６】
前記吸収体における前記刳り抜き部の周囲は、当該吸収体の他の領域よりも高吸水性樹脂の量が増量されている請求項１〜４の何れか一項に記載の吸収性物品。
【発明の詳細な説明】
【技術分野】
【０００１】
本発明は、吸収性物品に関する。
【背景技術】
【０００２】
従来、おむつや、おむつカバー等の外装体の内側に取り付けられて使用される吸収性パッドなどの吸収性物品が知られている。
吸収性物品においては、股間部へのフィット性を良好にするべくスリットを設ける技術が知られている。
例えば、特許文献１には、長手方向に沿った一本の貫通条孔（スリット）と、当該貫通条孔を挟んだ一対の条溝とを設けた吸収性パッドが提案されている。
かかる構成によれば、装着時に吸収性パッドが貫通条孔や条溝に沿って変形するため股間部へのフィット性が向上し、且つ尿等の体液がスリットを通して拡散されるため吸収スピード及び液拡散性を良好にすることができる。
【先行技術文献】
【特許文献】
【０００３】
【特許文献１】特開２００６−９５１５６号公報
【発明の概要】
【発明が解決しようとする課題】
【０００４】
ところで、脚が太い、麻痺で脚が広げられない等により股間幅の狭い人に吸収性パッドを装着するとき、吸収性パッドが股間に当たるようにするために吸収性パッドの前側を山折りにして装着する方法がある。一般的に、このような装着方法で吸収性パッドを装着すると、股下にある吸収体が盛り上がってしまうため、排尿したときに、盛り上がった吸収体と股間との隙間がなく尿の溢れ漏れが発生するという問題があった。
【０００５】
本発明の課題は、吸収性物品における溢れ漏れを防止することである。
【課題を解決するための手段】
【０００６】
前記課題を解決するために、請求項１に記載の発明は、
透液性の表面シートと、裏面シートと、装着時に前記表面シートと前記裏面シートとの間に人体の腹側部から股間部を通って背側部にかけて介装される吸収体とを備える吸収性物品において、
前記吸収体は、装着時に前記腹側部から前記股間部に位置する部分の当該吸収体の幅方向中央部に長手方向に沿って延在する第１の溝部と、前記第１の溝部の両側に当該第１の溝部と平行に対称的に延在し前記第１の溝部よりも股間部側が長い第２の溝部及び第３の溝部と、装着時に前記股間部における排尿口の後方に位置する三角形状の刳り抜き部と、を有し、
前記刳り抜き部は、前記三角形状の前記腹側部の側の頂点が前記第１の溝部の股間部側端部に連続し、前記背側部の側の頂点が前記第２の溝部及び前記第３の溝部の股間部側端部に連続するように形成されている。
【０００７】
請求項２に記載の発明は、請求項１に記載の発明において、
前記刳り抜き部は、前記三角形状の前記背側部の側が更に所定の形状に刳り抜かれている。
【０００８】
請求項３に記載の発明は、請求項１又は２に記載の発明において、
前記吸収体は、更に、前記刳り抜き部の前記背側部の側から延在する溝部を有する。
【０００９】
請求項４に記載の発明は、請求項３に記載の発明において、
前記刳り抜き部の前記背側部の側から延在する溝部は複数設けられている。
【００１０】
請求項５に記載の発明は、請求項１〜４の何れか一項に記載の発明において、
前記吸収体における前記刳り抜き部の周囲は、当該吸収体の他の領域よりも吸収体の厚さが厚い。
【００１１】
請求項６に記載の発明は、請求項１〜４の何れか一項に記載の発明において、
前記吸収体における前記刳り抜き部の周囲は、当該吸収体の他の領域よりも高吸水性樹脂の量が増量されている。
【発明の効果】
【００１２】
本発明によれば、装着時の態様で吸収性物品を長手方向に山折りにしたときに、第１の溝部〜第３の溝部に連動して刳り抜き部に尿等の体液を一時的に溜めることのできる窪みが生じるので、溢れ漏れを防止することができる。
また、この刳り抜き部に生じる窪みは、吸収性物品の腹側部を山折りにして着用者に装着し、その後に吸収性物品の腹側部を体に沿うように広げたときにも維持することができるので、股間幅が狭い場合でも排尿したときに尿を窪みで受け止めることができ、尿の溢れ漏れを防止することができる。また、第１の溝部が設けられていることで、山折りが容易となるので、股間幅の狭い人にも容易に吸収性物品を当てることが可能となる。
【図面の簡単な説明】
【００１３】
【図１】吸収性物品の装着時の状態の一例を示す斜視図である。
【図２】図１の吸収性物品の下側の平面展開図である。
【図３】図１の吸収性物品の上側の平面展開図である。
【図４】図３のＡ−Ａ線における断面図である。
【図５】吸収体を示す平面図である。
【図６】図３のＢ−Ｂ線における断面図である。
【図７】図１〜図６に示す吸収性物品を腹側部から股間部にかけて長手方向に山折りにしたときの刳り抜き部付近の（ａ）斜視図、（ｂ）前面から見た図、である。
【図８】比較例として刳り抜き部を四角形とした吸収体を示す平面図である。
【図９】図８に示す吸収体を用いた吸収性物品を腹側部から股間部にかけて長手方向に山折りにしたときの刳り抜き部付近の（ａ）斜視図、（ｂ）前面から見た図である。
【図１０】変形例１の吸収性物品における吸収体の一例を示す平面図である。
【図１１】変形例１の吸収性物品における吸収体の他の例を示す平面図である。
【図１２】変形例２の吸収性物品における吸収体の一例を示す平面図である。
【図１３】変形例２の吸収性物品における吸収体の他の例を示す平面図である
【図１４】変形例３の吸収性物品における吸収体の一例を示す平面図である。
【発明を実施するための形態】
【００１４】
以下、図を参照して、本発明の実施の形態を詳細に説明する。ただし、発明の範囲は、図示例に限定されない。
【００１５】
なお、以下の説明では、本実施形態における吸収性物品１を展開した状態において、装着時に人体（着用者）の腹側に位置する側を前側、背側に位置する側を後側、着用者と接触する側を上側、着用者と接触する側の反対側を下側とし、前後方向と上下方向との双方に直交する方向を左右方向（幅方向）とする。
また、前後方向をＸ方向、左右方向をＹ方向、上下方向をＺ方向とする。
【００１６】
吸収性物品１は、例えば夜用又は長時間用の尿取りパッドであり、おむつやおむつカバー、パンツなどの人体に装着される外装体（図示省略）に着脱・交換自在に取り付けられて使用される。
【００１７】
図１〜４に示すように、吸収性物品１は、装着時に着用者の股間を腹側から背側にかけて覆うように形成されている。
具体的には、吸収性物品１の一方の端部（前端部）が装着時に着用者の腹側に位置する腹側部１１を形成し、他方の端部（後端部）が装着時に着用者の背側に位置する背側部１２を形成し、腹側部１１と背側部１２との間が着用者の股間に位置する股間部１３を形成する。
腹側部１１及び背側部１２は、左右方向の長さが股間部１３よりも長く形成されている。背側部１２は、前後方向の長さが腹側部１１よりも長く形成されており、これにより、背側部１２によって着用者の背側を広く覆うことができるようになっている。
また、股間部１３の両縁部は、腹側部１１から背側部１２に亘って、装着時に着用者の脚周りに位置する二つの脚周り部１４，１４を形成する。脚周り部１４，１４には、糸ゴム等の平面ギャザー用弾性部材１４１がそれぞれ設けられ、この平面ギャザー用弾性部材１４１により平面ギャザーが形成されている。これにより、着用者の脚周りに伸縮自在にフィットするため、横漏れを抑制できるとともに、着用者の身体の動きに追従し易く吸収性物品１がズレ難くなっている。また、当該平面ギャザーによって、吸収性物品１が自然に湾曲するため、立体ギャザー（後述）を着用者の股間により密着させることができるようになっている。
【００１８】
吸収性物品１は、装着時に着用者との接触面側（上側）に設けられる透液性の表面シート２０と、装着時に着用者との接触面と反対側（下側）に設けられる裏面シート３０と、装着時に着用者との接触面と反対側の外部側に設けられる不織布からなるバックシート４０と、表面シート２０と裏面シート３０との間に介装される吸収体６０と、表面シート２０側の吸収体６０の幅方向両側縁部（左側縁部及び右側縁部）に、吸収性物品１の長手方向に沿って備えられたギャザーシート５０，５０と、バックシート４０における腹側部１１に設けられ、吸収性物品１を外装体に固定するための固定部材９０と、により主に構成される。
【００１９】
表面シート２０は、吸収性物品１を装着した際に着用者に接する面を形成し、吸収体６０の上側に設けられ、尿などの水様成分を含む体液等を受けて、吸収体６０まで輸送する役割を果たす、透液性のシートである。
透液性シートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエステル系、ポリアミド系等の合成繊維、レーヨンやキュプラなどの再生繊維、綿等の天然繊維、又はこれらの複合体を繊維素材として、スパンレース法、エアスルー法、ポイントボンド法、エアレイド法、スパンボンド法、サーマルボンド法、メルトブローン法、ニードルパンチ法等の適宜の加工法によって加工したものを用い得る。
【００２０】
裏面シート３０は、吸収体６０の下側に設けられ、体液等の吸収性物品１外部への染み出し、漏れ出しを防ぐ役割を果たす、不透液性のシートである。
不透液性シートとしては、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。
またその他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
なお、裏面シート３０は、必ずしも不透液性のシートでなくても良い。
【００２１】
バックシート４０は、吸収性物品１を装着した際に着用者に接する面と反対側の面を形成し、裏面シート３０の表面シート２０側の面と反対側の面（下面）を覆うように設けられた不織布である。これにより、裏面シート３０の傷付きを防止できるようになっている。
また、クロスライクさが得られるため、見た目にムレ難さを与えることができるとともに、着用者の肌への負担を軽減させることができる。
バックシート４０としては、例えば、ケミカルボンド不織布、サーマルボンド不織布、スパンレース不織布、スパンボンド不織布、メルトブローン不織布、メルトブローン不織布、ヒートロール不織布、エアスルー不織布、不透液性不織布、或いはこれらの組み合わせからなるシートが挙げられるが、これらに限られるものではない。
【００２２】
ギャザーシート５０，５０は、表面シート２０側において、吸収体６０のＸ方向に沿った両側縁部に、腹側部１１から背側部１２に亘ってそれぞれ備えられている（図３参照）。
このギャザーシート５０，５０の左右方向外側の部分は、吸収体６０の側方で表面シート２０及び裏面シート３０の上面に固着されている。また、このギャザーシート５０，５０の左右方向内側の部分は、表面シート２０及び裏面シート３０に固定されておらず、その前後方向に沿って糸ゴム等の立体ギャザー用弾性部材５０１が備えられており、起立して着用者の体型に合わせて伸縮自在に変形可能な一対の立体ギャザーが形成されている。
【００２３】
吸収体６０は、その長手方向の長さが、吸収性物品１の長手方向の長さとほぼ等しくなるように、腹側部１１から股間部１３を通り背側部１２に亘る位置に配置され、吸収性物品１の使用時に尿等の体液を吸収する役割を果たすものである。
吸収体６０は、吸収性物品１の形状に対応させて、腹側部１１側及び背側部１２側に対して股間部１３側が幅狭となるように内側に凹んで形成されている。
【００２４】
吸収体６０は、図４〜図６に示すように、綿やパルプなどの吸収性素材や、繊維或いはフィルム等のシート状基材と高吸収性ポリマーのような高吸水性樹脂とが組み合わされて形成された吸収体コア６２が、透液性の被覆部材６１により覆われて構成されている。ここで、図５においては、吸収体コア６２を覆う被覆部材６１の外形を仮想線（二点鎖線）で表している。高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
被覆部材６１としては、例えば、クレープ紙や透液性の不織布や孔開きシートなどが用いられる。被覆部材６１と吸収体コア６２との間は接着されている。また、被覆部材６１と表面シート２０、被覆部材６１と裏面シート３０との間は接着されている。
【００２５】
吸収体コア６２には、図５に示すように、腹側部１１から股間部１３に対応する位置に、吸収体コア６２の長手方向に沿って延在する、吸収体コア６２の上面から下面を貫通する３本の平行線状のスリットＳ１（第１の溝部）、Ｓ２（第２の溝部）、Ｓ３（第３の溝部）が設けられている。スリットＳ１は、吸収体コア６２の左右方向（幅方向）の中央部、即ち、吸収体コア６２の対称軸上に設けられている。スリットＳ２及びＳ３は、スリットＳ１の両側に、スリットＳ１を軸としてこれと平行に対称的に設けられている。スリットＳ２とスリットＳ３の長さは略同じであり、それぞれ股間部１３側がスリットＳ１より長い。
また、吸収体コア６２の、排尿口位置１５（図３の○で囲んだ付近）より後方であって股間部１３と背側部１２との境界付近に対応する位置には、三角形状の刳り抜き部６２１が設けられている。刳り抜き部６２１の三角形状の腹側部１１側の頂点Ｐ１は、スリットＳ１の股間部１３側の端部に連続しており、背側部１２側の頂点Ｐ２及びＰ３は、それぞれスリットＳ２、Ｓ３の股間部１３側の端部に連続している。
【００２６】
固定部材９０は、吸収性物品１を外装体に接着させて固定する役割を果たす、粘着テープであり、剥離紙を剥がすと粘着部分が露出するようになっている。
固定部材９０は、例えば、略矩形状をなしており（図２参照）、吸収性物品１を装着した際に着用者に接する面と反対側の面（バックシート４０の下面）における腹側部１１の中央部に備えられている。
固定部材９０の配置位置は、吸収性物品１のめくれを抑制してズレ難くする等の観点から、腹側部１１のより前側であることが好ましい。更に、固定部材９０を刳り抜き部６２１に対応する位置にも設けることが好ましい。刳り抜き部６２１をアウターに固定することで、更に刳り抜き部６２１の窪み（詳細後述）が維持されやすくなるからである。固定部材９０のサイズは、吸収性物品１を外装体にしっかりと固定させることができる大きさであれば特に限定されない。
なお、固定部材９０は、粘着テープに限ることはなく、吸収性物品１を外装体に固定させることができる部材であれば任意であり、例えば、面ファスナであっても良いが、できるだけやわらかい素材のものの方が着用者の身体の動きに追従し易く、好適である。
【００２７】
次に、吸収性物品１の作用について説明する。
図７（ａ）は、吸収性物品１の腹側部１１を長手方向に山折りにしたときの吸収性物品１の刳り抜き部６２１付近の斜視図である。図７（ｂ）は、吸収性物品１の腹側部１１を長手方向に山折りにしたときの吸収性物品１の刳り抜き部６２１付近を前面から見た図である。何れの図も吸収性物品１の着用者との接触面側（上側）を示している。なお、図７（ａ）、（ｂ）においては、後述する空間ＳＰに相当する部分を点のパターンで示している。
【００２８】
上述のように、吸収性物品１の吸収体６０の吸収体コア６２には、腹側部１１から股間部１３にかけての位置に長手方向に延在するスリットＳ１〜Ｓ３が設けられ、排尿口位置１５より後方であって股間部１３と背側部１２の境界付近の位置に、これらのスリットＳ１〜Ｓ３に連続した頂点Ｐ１〜Ｐ３を有する三角形状の刳り抜き部６２１が設けられている。そのため、図７（ａ）、（ｂ）に示すように、装着時の態様で吸収性物品１を長手方向に山折りにすると、左右方向中央部のスリットＳ１が山に、その両側のスリットＳ２及びＳ３が谷になり、これに連動して刳り抜き部６２１の部分が窪む。このとき、刳り抜き部６２１の前側に存在する吸収体６２ａ及び６２ｂの後端部が刳り抜き部６２１の後ろ側の吸収体６２ｃと密着しないため、図７（ａ）、（ｂ）に示すように、着用者との接触面に空間ＳＰが生じる。排尿された尿は、この空間ＳＰを介して刳り抜き部６２１の窪みに一時的に溜めておくことができるので、吸収体６０に尿を吸収（拡散）させる時間を確保することができ、尿の溢れ漏れを防止することができる。この刳り抜き部６２１の窪みは、吸収性物品１の腹側部１１を山折りにして着用者に装着し、その後に吸収性物品１の腹側部１１を体に沿うように広げたときにも維持することができるので、股間幅が狭い場合でも排尿したときに尿を窪みで受け止めることができ、尿の溢れ漏れを防止することができる。また、スリットＳ１が設けられていることで、山折りが容易となるので、股間幅の狭い人にも容易に吸収性物品１を当てることが可能となる。
【００２９】
ここで、比較例として、吸収体の刳り抜き部を四角形状とした場合について説明する。図８は、四角形状の刳り抜き部６２２を有する吸収体６０Ａを示す図である。図９（ａ）は、吸収体６０の代わりに吸収体６０Ａを用いた吸収性物品１Ａの腹側部１１を長手方向に山折りにしたときの吸収性物品１Ａの刳り抜き部６２２付近の斜視図である。図９（ｂ）は、吸収体６０の代わりに吸収体６０Ａを用いた吸収性物品１Ａの腹側部１１を長手方向に山折りにしたときの吸収性物品１Ａの刳り抜き部６２２付近を前面から見た図である。何れの図も吸収性物品１の着用者との接触面側（上側）を示している。
【００３０】
図８に示すように、刳り抜き部６２２を四角形状とした場合、装着時の態様で吸収性物品１を長手方向に山折りにすると、中央部のスリットＳ１が山に、その両側のスリットＳ２及びＳ３が谷になり、これに連動して、刳り抜き部６２２が窪むが、図９（ａ）、（ｂ）に示すように、刳り抜き部６２２の前側に存在する吸収体６２ｄ、６２ｅの後端部と刳り抜き部６２２の後ろ側に存在する吸収体６２ｆとが密着してしまい、空間ＳＰができず、刳り抜き部６２２の窪みに尿を一時的に溜めることができない。
また、刳り抜き部を丸にした場合、スリットをスリットＳ１のみにした場合についても同様に、装着時の態様で吸収性物品１を長手方向に山折りにした場合、十分な空間ＳＰを得ることはできなかった。
即ち、窪みに尿を溜めるための空間ＳＰを形成するには、吸収体６０にスリットＳ１〜Ｓ３及びこれに頂点Ｐ１〜Ｐ３が連続する三角形状の刳り抜き部６２１が必要である。
【００３１】
以下に、上記実施形態の吸収性物品１における吸収体６０の変形例について説明する。なお、各変形例における吸収体６０内の各部と同一の構成については同一の符号を付して説明する。
【００３２】
＜変形例１＞
図１０は、変形例１の吸収体６０Ｂを示す図である。
図１０に示すように、吸収体６０Ｂの吸収体コア６２Ｂには、刳り抜き部６２１の後側（背側部１２側）に、吸収体コア６２Ｂの長手方向に延在するスリットＳ４が設けられている。
これにより、刳り抜き部６２１に溜まった尿をスリットＳ４に沿って拡散させることができ、尿の拡散性を向上させることができる。
なお、図１０においては、スリットＳ４は１本としているが、複数本設けることとしてもよい。
また、図１１に示す吸収体６０Ｃの吸収体コア６２Ｃのように、刳り抜き部６２１の後側の延長上に、長手方向のスリットＳ４だけでなく、斜め方向のスリットＳ５及びＳ６を設けることとしてもよい。これにより、刳り抜き部６２１に溜まった尿をスリットＳ４〜Ｓ６に沿って多方向に拡散させることができ、尿の拡散性をより一層向上させることができる。
【００３３】
＜変形例２＞
図１２は、変形例２の吸収体６０Ｄを示す図である。
図１２に示すように、吸収体６０Ｄの吸収体コア６２Ｄには、三角形状の刳り抜き部６２１の後側（背側部１２側）に刳り抜き部６２１ｂが追加されてなる菱形の刳り抜き部６２３が設けられている。
これにより、刳り抜き部の面積が三角形状のときよりも広くなるので、尿を一次的に溜めるための容量を拡大することができる。
また、図１３に示す吸収体６０Ｅの吸収体コア６２Ｅのように、三角形状の刳り抜き部６２１の後側に楕円状の刳り抜き部６２１ｃが追加された刳り抜き部６２４を設けることにより、刳り抜き部の面積を広げるようにしてもよい。
なお、刳り抜き部６２１の背側部１２の側に追加される刳り抜き部の形状は、図１２、図１３に示すものに限定されない。また、変形例１と変形例２は組み合わせることも可能である。例えば、変形例２に示した刳り抜き部６２３、６２４の背側部１２の側に尿を拡散するための変形例１のスリットを延在させることとしてもよい。
【００３４】
＜変形例３＞
図１４は、変形例３の吸収体６０Ｆを示す図である。
図１４に示すように、吸収体６０Ｆの吸収体コア６２Ｆにおいては、刳り抜き部６２１の周囲（両脇及び背側部１２側）の領域６２ｇの厚さが他の領域よりも厚くなっている。この領域６２ｇの厚み部分の吸収体コアの量は、少なくとも刳り抜き部６２１で刳り抜かれた吸収体コアの量に相当する。領域６２ｇの厚みは、吸収体コア６２Ｆの他の領域と一体的に（厚みだけ異ならせて）形成されていてもよいし、この領域６２ｇに更に吸収体コアが重ねられている（立体積繊されている）こととしてもよい。
これにより、刳り抜き部６２１に一時的に溜めた尿をすぐに周囲の領域６２ｇに拡散、吸収させることができるので、刳り抜き部６２１があっても十分な吸収量を維持することが可能となる。
また、領域６２ｇの高吸収性樹脂（ポリマー）の量を吸収体コア６２Ｆの他の領域よりも増やすこととしてもよい。このように構成しても、領域６２ｇに吸収体を重ねたときと同様に、刳り抜き部６２１に一時的に溜めた尿をすぐに周囲に拡散、吸収させることができるので、刳り抜き部６２１があっても十分な吸収量を維持することが可能となる。
また、変形例１〜２の吸収体コア６０Ｂ〜６０Ｅにおいても、刳り抜き部の周囲の領域（スリット部分は除く）の厚みを厚くしてもよいし、その領域の高吸収性樹脂の量を増やすこととしてもよい。これにより、十分な吸収量を維持することができる。
【００３５】
以上説明したように、吸収性物品１において、吸収体６０は、装着時に腹側部１１から股間部１３に位置する部分の当該吸収体６０の幅方向中央部に長手方向に沿って延在するスリットＳ１と、スリットＳ１の両側にスリットＳ１と平行に対称的に延在しスリットＳ１よりも股間部１３側が長いスリットＳ２及びスリットＳ３と、装着時に股間部１３における排尿口位置１５の後方に位置する三角形状の刳り抜き部６２１と、を有する。この刳り抜き部６２１は、三角形状の腹側部１１の側の頂点がスリットＳ１の股間部１３側に連続し、背側部１２の側の頂点がスリットＳ２及びスリットＳ３の股間部１３側に連続するように形成されている。
従って、装着時の態様で吸収性物品１を長手方向に山折りにしたときに、スリットＳ１〜Ｓ３に連動して刳り抜き部６２１に尿を一時的に溜めることのできる窪みが生じるので、尿の溢れ漏れを防止することができる。
また、この刳り抜き部６２１の窪みは、吸収性物品１の腹側部１１を山折りにして着用者に装着し、その後に吸収性物品の腹側部１１を体に沿うように広げたときにも維持することができるので、股間幅が狭い場合でも排尿したときに尿を窪みで受け止めることができ、尿の溢れ漏れを防止することができる。また、スリットＳ１が設けられていることで、山折りが容易となるので、股間幅の狭い人にも容易に吸収性物品１を当てることが可能となる。
【００３６】
また、吸収体６０に、刳り抜き部６２１の背側部１２の側から延在するスリットを設けるようにすることで、刳り抜き部６２１に溜まった尿をスリットに沿って拡散させることができ、尿の拡散性を向上させることができる。スリットは複数本設けるようにすることで、尿の拡散性をより一層向上させることができる。
【００３７】
また、刳り抜き部６２１の背側部１２の側が、更に三角形や楕円等の所定の形状に刳り抜かれていることとしてもよい。これにより、刳り抜き部の面積を広くすることができるので、尿を一次的に溜めるための容量を拡大することができる。
【００３８】
また、吸収体６０における刳り抜き部６２１の周囲の領域６２ｇは、他の領域よりも吸収体コアの厚さが厚く形成されていることとしてもよい。或いは、領域６２ｇの高吸収性樹脂の量を吸収体６０の他の領域よりも増量することとしてもよい。これにより、刳り抜き部６２１に一時的に溜めた尿をすぐに周囲の領域６２ｇに拡散、吸収させることができるので、刳り抜き部６２１があっても十分な吸収量を維持することが可能となる。
【００３９】
なお、本発明は、上記した実施形態のものに限るものではなく、その要旨を逸脱しない範囲で適宜変更可能である。
例えば、上記実施形態及び変形例１〜３においては、吸収性物品として尿取りパッドを例示して説明しているが、吸収性物品は、例えば紙おむつ等であっても良い。
【００４０】
また、上記実施形態及び変形例１〜３においては、吸収体コア６２（６２Ａ〜Ｆ）にスリットＳ１〜Ｓ３（或いは、スリットＳ１〜Ｓ４又はスリットＳ１〜Ｓ６）を設けることとしたが、これらのスリットを設ける変わりに、その部分の吸収体コアにエンボス加工（型押し）を施して、その部分の表面シート側が凹となるようにしてもよい。このようにしても、スリットの場合と同様の効果を奏することができる。
【００４１】
その他、吸収性物品１の細部構成に関しても、本発明の趣旨を逸脱することのない範囲で適宜変更可能である。
【符号の説明】
【００４２】
１，１Ａ  吸収性物品
１１  腹側部
１２  背側部
１３  股間部
１４，１４  脚周り部
１４１  平面ギャザー用弾性部材
２０  表面シート
３０  裏面シート
４０  バックシート
５０，５０  ギャザーシート
５０１  立体ギャザー用弾性部材
６０，６０Ａ〜６０Ｆ  吸収体
６１  被覆部材
６２，６２Ｂ〜６２Ｆ，６２ａ〜６２ｇ  吸収体コア
６２１〜６２４  刳り抜き部
９０  固定部材
Ｓ１〜Ｓ６  スリット
【図１】
2014171581.tif 000003
【図２】
2014171581.tif 000004
【図３】
2014171581.tif 000005
【図４】
2014171581.tif 000006
【図５】
2014171581.tif 000007
【図６】
2014171581.tif 000008
【図７】
2014171581.tif 000009
【図８】
2014171581.tif 000010
【図９】
2014171581.tif 000011
【図１０】
2014171581.tif 000012
【図１１】
2014171581.tif 000013
【図１２】
2014171581.tif 000014
【図１３】
2014171581.tif 000015
【図１４】
2014171581.tif 000016